(57)【特許請求の範囲】
【請求項１】
充電器によって充電されるバッテリーを電源とし、補助光を発光するストロボ及び被写体を撮像するための撮像素子を有する撮像素子内蔵携帯装置において、
装置内部に、互いに重複しない複数の領域を定め、前記複数の領域のうち１つの領域をコイル側領域として、磁界を利用する素子を収容すべく配置し、
前記複数の領域のうちの前記コイル側領域を除く１つの領域を微弱領域として、微弱電流を利用する素子を収容すべく配置し、
前記バッテリーを充電させるときには、前記充電器に設けられたコイルの通電により発生する磁界により通電され、前記ストロボを発光させるときには、電流が流されてトリガコイルとして機能する第１のコイルと、
前記充電器に設けられたコイルが通電されたときの前記第１のコイルの通電に応じて起電力が発生する第２のコイルと、
前記ストロボを発光させるときに前記第１のコイルに発生した電圧を昇圧する昇圧コイルと、
を前記コイル側領域に収納し、
前記バッテリーは、前記第２のコイルに発生した起電力により充電され、
前記ストロボは、前記昇圧コイルにより昇圧された電圧により発光する
ことを特徴とする撮像素子内蔵携帯装置。
【請求項２】
前記昇圧コイルの一部を前記第２のコイルとして用いたことを特徴とする請求項１に記載の撮像素子内蔵携帯装置。
【請求項３】
前記コイル側領域に更に、前記バッテリー、前記バッテリーへの充電制御を行う充電制御部を構成する素子、及び前記ストロボを駆動制御する素子の少なくとも１つを収納したことを特徴とする請求項１又は２記載の撮像素子内蔵携帯装置。
【請求項４】
前記微弱領域に、前記撮像素子、前記撮像素子からの出力信号をアナログ信号処理するアナログ信号処理部を構成する素子、及び前記アナログ信号をデジタル信号に変換するＡ／Ｄ変換部を構成する素子の少なくとも１つを収納したことを特徴とする請求項１〜３の何れか１項に記載の撮像素子内蔵携帯装置。
【請求項５】
前記装置内部の略中央に、前記コイル側領域と前記微弱領域とを分離する分離部を設けたことを特徴とする請求項１〜４の何れか１項に記載の撮像素子内蔵携帯装置。
【請求項６】
充電器によって充電されるバッテリーを電源とし、補助光を発光するストロボ及び被写体を撮像するための撮像素子を有する撮像素子内蔵携帯装置において、
前記バッテリーを充電させるときには、前記充電器に設けられたコイルの通電により発生する磁界により通電され、前記ストロボを発光させるときには、電流が流されてトリガコイルとして機能する第１のコイルと、
前記充電器に設けられたコイルが通電されたときの前記第１のコイルの通電に応じて起電力が発生する第２のコイルと、
前記ストロボを発光させるときに前記第１のコイルに発生した電圧を昇圧する昇圧コイルと、
を備え、
前記バッテリーは、前記第２のコイルに発生した起電力により充電され、
前記ストロボは、前記昇圧コイルにより昇圧された電圧により発光する
ことを特徴とする撮像素子内蔵携帯装置。
【請求項７】
前記昇圧コイルの一部を前記第２のコイルとして用いたことを特徴とする請求項６に記載の撮像素子内蔵携帯装置。
【請求項８】
装置本体を三脚に固定するためのねじ穴をさらに備え、前記ねじ穴に少なくとも前記第２のコイルが巻き付けられたことを特徴とする請求項１〜７の何れか１項に記載の撮像素子内蔵携帯装置。
【発明の詳細な説明】
【０００１】
【発明の属する技術分野】
本発明は、撮像素子内蔵携帯装置に係り、特に、充電可能な２次電池を電源とし、電磁力により前記２次電池を充電することが可能な撮像素子内蔵携帯装置に関する。
【０００２】
【従来の技術】
従来、撮影画像を写真フィルムに記録するカメラの電源は、充電が不可能な一次電池を用いるのが一般的であり、電池の供給電力が低下した場合には、カメラから電池を取り外して新しい電池を装着する必要がある。また、充電可能な２次電池を用いる場合でも、充電する毎にカメラから電池を取り外して充電し、充電完了後に電池を装着する必要があった。
【０００３】
このように、従来のカメラでは、電池の供給電力が低下する度に、電池をカメラ本体から取り外して新しい電池に交換するか、充電完了後の電池を装着しなければならず、煩雑であった。
【０００４】
この問題を解決するため、特開平７−１４６１５号公報には、電源を２次電池とするカメラの電源システムにおいて、２次電池をカメラに装着したままで電磁誘導により２次電池を無接点で充電する電源システムが開示されている。
【０００５】
【発明が解決しようとする課題】
しかしながら、上記従来技術では、電磁誘導により２次電池を充電するため、ＣＣＤ等の撮像素子や信号処理回路等のＩＣを搭載したデジタルカメラ等に適用した場合、ＩＣに強い磁力が加わり、ＩＣが破損したり誤作動してしまう恐れがある、という問題があった。
【０００６】
本発明は、上記事実を考慮して、ＩＣ等の電子回路部品が破損したり誤作動するのを防ぐことができる撮像素子内蔵携帯装置を得ることが目的である。
【０００７】
【課題を解決するための手段】
上記目的を達成するために請求項１記載の発明は、充電器によって充電されるバッテリーを電源とし、補助光を発光するストロボ及び被写体を撮像するための撮像素子を有する撮像素子内蔵携帯装置において、装置内部に、互いに重複しない複数の領域を定め、前記複数の領域のうち１つの領域をコイル側領域として、磁界を利用する素子を収容すべく配置し、前記複数の領域のうちの前記コイル側領域を除く１つの領域を微弱領域として、微弱電流を利用する素子を収容すべく配置し、前記バッテリーを充電させるときには、前記充電器に設けられたコイルの通電により発生する磁界により通電され、前記ストロボを発光させるときには、電流が流されてトリガコイルとして機能する第１のコイルと、前記充電器に設けられたコイルが通電されたときの前記第１のコイルの通電に応じて起電力が発生する第２のコイルと、前記ストロボを発光させるときに前記第１のコイルに発生した電圧を昇圧する昇圧コイルと、を前記コイル側領域に収納し、前記バッテリーは、前記第２のコイルに発生した起電力により充電され、前記ストロボは、前記昇圧コイルにより昇圧された電圧により発光することを特徴とする。
【０００８】
撮像素子内蔵携帯装置は、充電器によって充電されるバッテリーを電源とし、補助光を発光するストロボ及び被写体を撮像するための撮像素子を有している。撮像素子内蔵携帯装置としては、例えばデジタルカメラやカメラ付きの携帯電話等がある。撮像素子としては、例えばＣＣＤやＣＭＯＳセンサ等がある。
【０００９】
このような撮像素子内蔵携帯装置の装置内部に、互いに重複しない複数の領域を定め、その複数の領域のうち１つの領域をコイル側領域とする。このコイル側領域は、例えば充電器等から発生する磁界を利用する素子を収容するための領域であり、バッテリーを充電させるときには、充電器に設けられたコイルの通電により発生する磁界により通電され、ストロボを発光させるときには、電流が流されてトリガコイルとして機能する第１のコイルと、充電器に設けられたコイルが通電されたときの第１のコイルの通電に応じて起電力が発生する第２のコイルと、ストロボを発光させるときに第１のコイルに発生した電圧を昇圧する昇圧コイルとが収容される。また、例えば、請求項３にも記載のように、バッテリー、バッテリーへの充電制御を行う充電制御部を構成する素子、及びストロボを駆動制御する素子の少なくとも１つを収納することもできる。すなわち、コイル側領域には、磁界の影響を受けない主に電気回路部品が収容される。
【００１０】
また、複数の領域のうちのコイル側領域を除く１つの領域を微弱領域とする。この微弱領域は、微弱電流を利用する素子を収容するための領域であり、例えば請求項４にも記載したように、撮像素子、撮像素子からの出力信号をアナログ信号処理するアナログ信号処理部を構成する素子、アナログ信号をデジタル信号に変換するＡ／Ｄ変換部を構成する素子の少なくとも１つが収容される。すなわち、微弱領域には、磁界の影響を受けやすい微弱電流を利用する素子である電子回路部品、特にＩＣ等が収容される。
【００１１】
このように、磁界を利用する素子と微弱電流を利用する素子とを収容する領域を分離することにより、磁界の影響により微弱電流を利用する素子が破損したり誤作動したりするのを防ぐことができる。
【００１３】
また、請求項５に記載したように、前記装置内部の略中央に、前記コイル側領域と前記微弱領域とを分離する分離部を設けてもよい。分離部は、例えば磁界を遮蔽する遮蔽板などを用いる。これにより、磁界の影響をさらに少なくすることができる。
【００１４】
また、請求項６記載の発明は、充電器によって充電されるバッテリーを電源とし、補助光を発光するストロボ及び被写体を撮像するための撮像素子を有する撮像素子内蔵携帯装置において、前記バッテリーを充電させるときには、前記充電器に設けられたコイルの通電により発生する磁界により通電され、前記ストロボを発光させるときには、電流が流されてトリガコイルとして機能する第１のコイルと、前記充電器に設けられたコイルが通電されたときの前記第１のコイルの通電に応じて起電力が発生する第２のコイルと、前記ストロボを発光させるときに前記第１のコイルに発生した電圧を昇圧する昇圧コイルと、を備え、前記バッテリーは、前記第２のコイルに発生した起電力により充電され、前記ストロボは、前記昇圧コイルにより昇圧された電圧により発光することを特徴とする。
請求項１及び６に記載したように、第１のコイルをストロボを発光させるためのトリガコイル及び充電用のコイルとして共用するため、部品点数を減らすことができ、装置を安価に構成することができる。
【００１５】
この場合、請求項２及び７にも記載したように、前記昇圧コイルの一部を前記第２のコイルとして用いることにより、昇圧用コイルにより昇圧された電圧によりバッテリーを充電することができる。すなわち、第１のコイルを充電用のコイル及びストロボ発光用のトリガコイルとして共用すると共に、昇圧コイルを充電用とストロボ発光用に共用する。これにより、充電器等から発生する磁界が弱い場合でも十分にバッテリーを充電させることができる。
【００１６】
さらに、請求項８に記載したように、装置本体を三脚に固定するためのねじ穴をさらに備え、前記ねじ穴に少なくとも前記第２のコイルが巻き付けられた構成としてもよい。この場合、充電器に設けられたコイルを巻き付けた磁心をねじ穴に挿入した状態で前記充電器に設けられたコイルに電流を流すことにより、ねじ穴に巻き付けられた第２のコイルに起電力が発生し、バッテリーを充電することができる。
【００１７】
【発明の実施の形態】
以下、図面を参照して本発明の実施の形態を詳細に説明する。本発明が適用されたデジタルカメラ１０は、図１（Ａ）及び図１（Ｂ）に示すように、本体１１が略箱型であり、正面から見て左側には、本体１１の把持を容易とするための把持部が形成されている。
【００１８】
本体１１の正面側には、図１（Ａ）に示すように、レンズ１４、撮影範囲等を目視で確認するためのファインダ１５、低照度での撮影等の場合に補助光を発するためのストロボ１６が取付けられている。
【００１９】
また、本体１１の正面から見て右側の側面には、スマートメディアなどの情報記録媒体としてのメモリーカード１８を装填可能なスロット２３が設けられており、本体１１の上面には、図１（Ａ）において左側にモードダイヤル４７、及び電源スイッチ２１が設けられ、モードダイヤル４７の中央部がシャッタボタン１２となっている。また、本体１１の正面から見て左側の側面には、デジタルカメラ１０の電源であるバッテリー２６の収容口２８が設けられている。バッテリー２６は、後述する充電器５０から供給される電力により充電される。
【００２０】
さらに、本体１１の正面から見て左下の底面には、三脚にデジタルカメラ１０を固定するためのねじ穴３２が設けられている。
【００２１】
モードダイヤル４７は、デジタルカメラの動作モードを選択するダイヤルであり、例えば、オート撮影モード、マニュアル撮影モード、セルフタイマー撮影モード、再生モード、パソコンに接続して画像を出力するＰＣモード及び各種機能の初期条件を設定するセットアップ項目設定モードのうちのいずれか１つを選択する。また、圧縮方式切り換えプログラムにおいて、画像のアクティビティ値の大きさに応じて圧縮方式を切り換える圧縮方式切り換えモードと、常にＪＰＥＧ方式で画像の圧縮を行うＢａｓｉｃモードとを選択する。また、シャッタボタン１２は、半押しでＡＦロック、全押しで撮像処理されるように構成されている。
【００２２】
また、図１（Ｂ）に示すように、本体１１の背面の下方側には、反射型ＬＣＤ又は透過型表ＬＣＤから成るカラーのディスプレイ４６が取付けられており、ディスプレイ４６の上方側には、モノクロの液晶表示パネル１３、ストロボボタン１７、十字ボタン１９、及びメニュー実行ボタン２５等の各種選択ボタンが設けられている。
【００２３】
ディスプレイ４６は、画面サイズが例えば６４０×４８０ピクセルの液晶表示パネルより構成されており、画像表示指示がある場合に、後述するメモリ４２に保存された画像ファイルやメモリーカード１８から読み込んだ画像ファイルに基づいて画像を画面全体に表示したり、複数の縮小画像を並べて表示（以下、サムネイル表示と称す。）したり、各種機能選択画面を表示する。液晶表示パネル１３は、動作モード、画質、バッテリー量、ストロボの発光／非発光、撮影可能枚数等デジタルカメラの現在の設定を表示する。
【００２４】
十字ボタン１９は、ディスプレイ４６が各種項目選択画面のときにディスプレイ４６に表示されたボタンを選択したり、カーソルを動かすためのボタンである。また、ストロボボタン１７はストロボを強制発光するときに強制発光指示を出したり、ストロボを発光禁止するときに発光禁止指示を出すボタンであり、メニュー実行ボタン２５は、ディスプレイ４６に表示されて十字ボタン１９で選択された項目の実行指示を出すボタンである。
【００２５】
また、図２にデジタルカメラ１０の電気系の構成を示す。レンズ１４は、詳しくはステッピングモータ等の駆動源の駆動力により焦点位置を変更可能な機構（オートフォーカス（ＡＦ）機構）を備えたズームレンズ（焦点距離可変レンズ）であり、レンズ１４のＡＦ機構及びズーム機構は駆動回路２４ａによって駆動される。なお、駆動回路２４ａはストロボ１６、及び後述する撮像デバイス（撮像素子）３０の駆動等各種部品の駆動制御も行う。また、レンズ１４に代えて、ＡＦ機構のみを備えた焦点距離固定レンズを用いてもよい。
【００２６】
本体１１内部のレンズ１４の焦点位置に相当する位置には、エリアＣＣＤから成り電子シャッタ機構が設けられた撮像デバイス３０が配置されており、被写体から反射してレンズ１４に入射された光が撮像デバイス３０の受光面に結像されるようになっている。なお、撮像デバイス３０は、ＣＣＤに代えてＣＭＯＳセンサを用いてもよい。
【００２７】
撮像デバイス３０は、駆動回路２４ａによって駆動され、駆動回路２４ａは、タイミング信号発生回路２７によって発生されたタイミング信号に同期したタイミングで撮像デバイス３０を駆動して、画像信号（受光面上にマトリクス状に配列された多数個の光電変換セルの各々における受光量を表す信号）を出力する。
【００２８】
タイミング信号発生回路２７は、マイコンにより構成された制御部２２により制御され、撮像デバイス３０やＡ／Ｄ変換部３８等を動作させるための各種のタイミング信号（クロック信号）を発生する。
【００２９】
また、撮像デバイス３０は、画像信号を、図示しない増幅器を介してアナログ信号処理部３６に出力する。アナログ信号処理部３６はＡ／Ｄ変換部３８に接続されており、撮像デバイス３０から出力された信号は、増幅器で増幅されてＡ／Ｄ変換部３８でデジタルデータに変換される。
【００３０】
Ａ／Ｄ変換部３８の出力端は、図示しない相関二重サンプリング回路（ＣＤＳ回路）、図示しない内部インタフェース（Ｉ／Ｆ）回路を順に介してデジタル信号処理部４０に接続されている。ＣＤＳ回路では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路を介してスキャン画像ファイルとしてデジタル信号処理部４０に順次出力する。
【００３１】
デジタル信号処理部４０は、入力されたデジタル信号に所定のデジタル信号処理（例えばシェーディング補正処理等）を施して、原画像ファイルとしてデータバス８８を介してメモリ４２に出力する。また、デジタル信号処理部４０は、図示しない外部機器がビデオ出力端子に接続されている場合はビデオ信号を出力する。また、デジタル信号処理部４０は、制御部２２からサムネイル表示指示が出されると、メモリ４２に記憶された複数の画像ファイルの各々に関連して記憶されている複数のサムネイル画像をディスプレイ４６に表示させる。
【００３２】
メモリ４２は、再生時に検索用に読み込んだ画像ファイルを一時的に保存したり、データバス８８を介してデジタル信号処理部４０から出力された画像ファイルを保存する。このとき、スマートメディアやフロッピィディスクなどのメモリーカード１８に書き込み指示があれば、記憶した画像ファイルを圧縮伸張部４４で所定の画像圧縮処理（例えばＪＰＥＧ処理）が行われた後、メモリーカードドライブ２０に出力され、外部インターフェース（外部Ｉ／Ｆ）４３を介してメモリカードに書き込まれる。なお、圧縮伸張部４４で圧縮せずに書き込むようにも設定できる。
【００３３】
また、外部Ｉ／Ｆ４３には、デジタルＩＯポート３１が設けられており、画像ファイルをデジタルＩＯポート３１に接続された他の機器にも出力できるように構成されている。
【００３４】
また、スロット２３に装填されたメモリカードに格納されている画像ファイルによる画像の再生（表示）が指示された場合には、メモリカードから画像ファイルが読み出される。読み出された画像ファイルが圧縮されて格納されていた場合には、被圧縮画像ファイルは圧縮伸張部４４で伸張（解凍）された後にメモリ４２に記憶される。そして、メモリ４２に記憶された画像ファイルをデジタル信号処理部４０が液晶駆動回路２４ｂに転送してディスプレイ４６に画像を表示（再生）させる。
【００３５】
制御部２２は、ＣＰＵ、ＲＯＭ及びＲＡＭから構成され、直接又はデータバス８８を介してシャッタボタン１２、メモリーカードドライブ２０、駆動回路２４ａ、メモリ４２、圧縮伸張部４４、ディスプレイ４６、メニュー実行ボタン２５、及び充電制御部３４が接続されている。
【００３６】
ＲＯＭには、制御部２２に接続された上述の各種構成要素を制御するプログラム、及び圧縮方式切り換えプログラム等が記憶されている。また、ＲＡＭには、データバス８８を介して入力される前記各プログラムに必要な各種データが記憶される。
【００３７】
ＣＰＵは、ＲＯＭから各種プログラムを読み出して、各部品の制御を行うと共に、撮影時の記録モード時には、ＲＯＭから圧縮方式切り換えプログラムを読み込んで、撮影した画像を表わす画像データを保存する際の圧縮方式を選択して、選択した圧縮方式で画像データを圧縮して保存する。
【００３８】
充電制御部３４には、電源回路３５が接続されている。電源回路３５は、図３に示す充電器５０から供給される電力によりバッテリー２６を充電する。充電制御部３４は、電源回路３５を制御し、バッテリー２６への充電を制御する。
【００３９】
充電器５０は、図３に示すように、制御部５２を備えている。制御部５２には、電源部５４及び充電開始スイッチ５６が接続されている。電源部５４には、コイル５８が接続されている。
【００４０】
充電開始スイッチ５６は、バッテリー２６への充電を開始するときにオンされるべきスイッチである。この充電開始スイッチ５６がオンされると、制御部５２は、コイル５８に電流が流れるように電源部５４を制御する。これにより、電源部５４は例えば一般の家庭用電源（ＡＣ１００Ｖ）から供給される電力を調節してコイル５８に電流を流す。
【００４１】
なお、充電開始スイッチ５６は、例えばデジタルカメラ１０を充電器５０にセットしたときに、充電器５０の重みによりオンするスイッチとすることができる。これにより、デジタルカメラ１０を充電器にセットするだけで充電を開始させることができる。また、ユーザの操作によりオンするスイッチとしてもよい。
【００４２】
一方、デジタルカメラ１０の充電制御部３４には、コイル６０が接続されており、デジタルカメラ１０を充電器５０にセットした場合には、図３及び図４（Ａ）に示すように、充電器５０のコイル５８とデジタルカメラ１０のコイル６０とが対向するようになっている。
【００４３】
このため、デジタルカメラ１０を充電器５０にセットし、コイル５８に電流が流れると、図４（Ａ）に示すようにコイル５８を流れる電流により図中矢印方向に磁界６２が発生する。そして、この磁界６２により、コイル５８とコイル６０の巻線比に応じた電流がコイル６０に流れる。充電制御部３４では、バッテリー２６の充電量をモニタしながらコイル６０に発生した電流によりバッテリー２６が充電されるように制御する。そして、バッテリー２６がフル充電されると、充電を停止させる。
【００４４】
このように、所謂電磁誘導によりバッテリー２６を充電することができるため、デジタルカメラ１０からバッテリー２６を取り出すことなく充電することができる。
【００４５】
なお、図４（Ｂ）に示すように、デジタルカメラ１０側の磁心６４にコイル６０Ａ、６０Ｂを巻き付け、充電器５０側の磁心６６にコイル５８を巻き付けた構成としてもよい。この場合、コイル５８に流れる電流により充電器５０側からデジタルカメラ１０側へ向けて磁界が発生する（図中矢印方向）。この発生した磁界によりコイル６０Ａに電流が流れる。そして、コイル６０Ａに流れる電流により磁心６４に発生した磁界によりコイル６０Ｂに電流が流れ、この電流によりバッテリー２６が充電される。
【００４６】
前述したように、バッテリー２６の充電には電磁誘導を利用しているため、充電器５０側からデジタルカメラ１０側へ向けて、すなわちデジタルカメラ１０の下側から上側へ向けた磁界が発生する。従って、コイル６０付近にＣＣＤ等のＩＣを配置した場合、充電の際に発生する磁界によりＩＣが破損したり誤作動してしまう恐れがある。
【００４７】
特に、アナログ信号を扱う撮像デバイス３０等のＩＣをコイル６０の近傍に配置した場合、ＩＣが破損したり誤作動してしまう恐れが高くなる。
【００４８】
そこで、本実施の形態では、図５に示すように、デジタルカメラ１０の背面から見て右下にコイル６０を配置し、そこから最も離れた位置に撮像デバイス３０のＩＣを配置している。
【００４９】
また、デジタルカメラ１０の背面から見て右半分側に主に電源系の電気回路部品を配置し、デジタルカメラ１０の背面から見て左半分側（微弱領域）に主に信号処理回路等の電子回路を構成するＩＣ部品を配置している。
【００５０】
詳細には、デジタルカメラ１０の背面から見て右半分側（コイル側領域）には、コイル６０、充電制御部３４を構成する部品が搭載された充電制御基板６８、電源回路３５を構成する部品であるコンデンサ７０、バッテリー２６、及びストロボ１６を駆動制御する駆動回路２４ａの少なくとも一部の部品が搭載されたストロボ制御基板７２が配置されている。
【００５１】
なお、左半分側に配置される素子が本発明の磁界を利用する素子に相当し、右半分側に配置される素子が本発明の微弱電流を利用する素子に相当する。
【００５２】
このように、デジタルカメラ１０の背面から見て右半分側には、コイル６０により生じる磁界の悪影響が少ない部品を配置する。
【００５３】
また、デジタルカメラ１０の背面から見て左半分側には、撮像デバイス３０を構成するＩＣ、Ａ／Ｄ変換部３８を構成するＩＣ、アナログ信号処理部３６を構成するＩＣ、メモリ４２を構成するＩＣ、及びその他のＩＣ７４〜７８が配置されている。ＩＣ７４〜７８は、例えばタイミング信号発生回路２７、デジタル信号処理部４０、液晶駆動回路２４ｂ等を構成するＩＣである。
【００５４】
このように、デジタルカメラ１０の背面から見て左半分側には、微弱電流を扱うＩＣや微細な配線を有するＩＣ等のＩＣ群を配置する。詳細には、磁界による悪影響を受けやすいＩＣほどコイル６０からの離間距離を大きくする。特に、アナログ信号を扱うＩＣは、コイル６０からの離間距離を大きくする。
【００５５】
このように、デジタルカメラ１０の背面から見て左半分側には、コイル６０により生じる磁界の悪影響が大きい部品を配置する。
【００５６】
これにより、充電時に生じる磁界の影響によりＩＣが破損したり誤作動するのを防ぐことができる。なお、ＩＣ等を搭載する基板を含む面とコイル６０によって生じる磁界の向きとが直交しないような向きに、すなわち略平行となるような向きに、前記基板を配置することが好ましい。これにより、磁界の影響をさらに少なくすることができる。
【００５７】
また、デジタルカメラ１０の略中央（図５の一点鎖線で示す位置）に磁界を遮蔽するための遮蔽板（分離部）を設けてもよい。これにより、磁界によるＩＣの誤作動などをさらに効果的に防ぐことができる。
【００５８】
また、図４（Ｂ）には、バッテリー充電ための発電部の構成として、デジタルカメラ１０側の磁心６４にコイル６０Ａ、６０Ｂを巻き付け、充電器５０側の磁心６６にコイル５８を巻き付けた構成を示したが、これの変形例として、図６（Ａ）に示すように、駆動回路２４ａの一部を構成するストロボ１６を発光するための回路に含まれるトリガコイルをコイル６０Ａと共用し、トリガコイル（１次側）に発生した電圧を昇圧する昇圧コイル（２次側）８０を磁心６４に巻き付けた構成としてもよい。なお、トリガコイルと昇圧コイルとの巻線比は例えば１：３０である。
【００５９】
この場合、コイル５８に流れる電流により発生した磁界によりコイル６０Ａに電流が流れ、これにより磁心６４に発生した磁界によりコイル６０Ｂに電流が流れる。このコイル６０Ｂに流れる電流によりバッテリー充電を行うこともできる。なお、昇圧コイル８０に流れる電流によりバッテリー充電を行ってもよい。
【００６０】
また、ストロボ発光時には、コイル６０Ａに電流を流し、これにより昇圧コイル８０を流れる電流によりストロボ発光させる。
【００６１】
このように、バッテリー充電のための発電部とストロボ発光のための発電部とを共用する構成とすることにより、部品点数を減らし、安価な構成とすることができる。
【００６２】
また、図６（Ｂ）に示すように、コイル６０Ｂを昇圧コイル８０と共用する構成としてもよい。すなわち、コイル６０Ｂの巻線数に対応する位置から端子ｂを引き出し、バッテリー充電時には、端子ａ−ｂ間に発生する電圧Ｖａｂ（又は端子ｂ−ｃ間に発生する電圧Ｖｂｃ）を利用し、ストロボ発光時には、端子ａ−ｃ間に発生する電圧Ｖａｃを利用する。このような構成にすることにより、部品点数をさらに減らすことができる。
【００６３】
また、図７（Ａ）に示すように、三脚固定用のねじ穴３２にコイル６０を巻き付けた構成としてもよい。この場合、充電器５０には、フェライトコア等の磁心８２を、一部が突出するように取り付けた構成とする。なお、磁心８２の突出した部分の長さは、ねじ穴３２の深さと略同等とし、磁心８２の直径は、ねじ穴３２の直径よりも若干小さくする。
【００６４】
充電時には、図７（Ｂ）に示すように、充電器５０の磁心８２の突出した部分がねじ穴３２に収容されるようにデジタルカメラ１０を充電器５０にセットする。これにより、コイル５８に電流が流れると、磁心８２の長手方向に磁界が発生し、この発生した磁界によりコイル６０に電流が流れ、この電流によりバッテリー２６を充電することができる。
【００６５】
なお、本実施形態では、デジタルカメラに本発明を適用した場合について説明したが、これに限らず、例えばカメラ付き携帯電話等にも本発明を適用可能であることは言うまでもない。
【００６６】
【発明の効果】
以上説明したように本発明によれば、磁界を利用する素子と微弱電流を利用する素子とを収容する領域を分離したので、磁界の影響により微弱電流を利用する素子が破損したり誤作動したりするのを防ぐことができる、という効果がある。
【図面の簡単な説明】
【図１】（Ａ）はデジタルカメラの正面図、（Ｂ）はデジタルカメラの背面図である。
【図２】デジタルカメラの電気系の構成を示すブロック図である。
【図３】デジタルカメラ及び充電器の電源系の構成を示す図である。
【図４】発電部の概略構成を示す概略構成図である。
【図５】デジタルカメラの各部品の配置を示す配置図である。
【図６】発電部の他の例を示す概略構成図である。
【図７】発電部の他の例を示す概略構成図である。
【符号の説明】
１０ デジタルカメラ
１６ ストロボ
２６ バッテリー
３０ 撮像デバイス
３２ ねじ穴
３５ 電源回路
３６ アナログ信号処理部
３８ Ａ／Ｄ変換部
４０ デジタル信号処理部
４２ メモリ
５０ 充電器
５８ コイル
６０ コイル
６８ 充電制御基板
７２ ストロボ制御基板
８０ 昇圧コイル
【図１】
0004011875.tif 000002
【図２】
0004011875.tif 000003
【図３】
0004011875.tif 000004
【図４】
0004011875.tif 000005
【図５】
0004011875.tif 000006
【図６】
0004011875.tif 000007
【図７】
0004011875.tif 000008